(57)【特許請求の範囲】
【請求項１】
円形の底壁に沿って一体に起立する環状の周壁を有してその内側に複数の粒状物の収納部を形成する容器本体と、当該容器本体の周壁を取り囲む周壁と容器本体を閉じる天壁とが設けられ容器本体に周方向に相対回転自在に装着された蓋体とを備え、
蓋体の天壁に、収納部に通じる取出口を形成すると共に、容器本体の底壁に、取出口を閉じる閉塞部を一体に設け、
また、蓋体の周壁に、周方向に延在するスリット部を形成すると共に、容器本体の周壁に、スリット部を通して周方向に沿ってスライドさせることで容器本体を周方向に沿って回転させて、取出口を開閉させる操作片を設け、
更に、容器本体の周壁の一部を径方向内側に窪ませて周方向に延在する凹所を形成し、当該凹所を形作る周壁に、該周壁の外側に周方向に沿って延在して変形及び復元の可能な弾性片を一体に設けると共に、蓋体の周壁の内側に、弾性片の先端部が接触することにより、容器本体が取出口を開く方向に回転するのに従って、容器本体が反対側に回転するように、弾性片を変形させて復元力を与える支持部を設けたことを特徴とする粒状物収納容器。
【請求項２】
請求項１において、弾性片は、板ばね状のものであることを特徴とする粒状物収納容器。
【請求項３】
請求項２において、弾性片は、容器本体が取出口を開く方向に回転するのに従って径方向外向きに傾斜する形状であって、支持部は、容器本体が取出口を開く方向に回転するのに従って径方向内向きに傾斜する斜面を有するものであることを特徴とする粒状物収納容器。
【請求項４】
請求項１において、弾性片は、ジグザグばね状のものであることを特徴とする粒状物収納容器。
【発明の詳細な説明】
【技術分野】
【０００１】
本発明は、複数の粒状物を収納して、その取り出しが可能な粒状物収納容器に関するものである。
【背景技術】
【０００２】
従来の粒状物収納容器としては、例えば、容器本体に対して回転可能な中蓋に取出口を形成し、この中蓋から垂下する仕切壁と共に周方向に回転させることで、粒状物をばらつかせることなく、寄せ集めた状態で取り出せるものがある（例えば、特許文献１参照）。
【先行技術文献】
【特許文献】
【０００３】
【特許文献１】特開２００８−１３１７８号公報
【発明の概要】
【発明が解決しようとする課題】
【０００４】
しかしながら、従来の粒状物収納容器は、中蓋の取出口を閉じる蓋体を別体に設け、この蓋体を容器本体に対して螺合させていたため、蓋体の開閉を全て手動で行わなければならないという煩雑さがある。
【０００５】
また、蓋体を開けた後、蓋体を自動的に閉じるように構成しようとすると、蓋体が中栓と別体に設けられていることに加え、更なる部品点数の増加によって生産コストの上昇も考えられ、改善の余地がある。
【０００６】
本発明の目的とするところは、部品点数の削減を図りつつ回転によって取出口を自動的に閉じることができる、新規な粒状物収納容器を提供することにある。
【課題を解決するための手段】
【０００７】
本発明の粒状物収納容器は、円形の底壁に沿って一体に起立する環状の周壁を有してその内側に複数の粒状物の収納部を形成する容器本体と、当該容器本体の周壁を取り囲む周壁と容器本体を閉じる天壁とが設けられ容器本体に周方向に相対回転自在に装着された蓋体とを備え、
蓋体の天壁に、収納部に通じる取出口を形成すると共に、容器本体の底壁に、取出口を閉じる閉塞部を一体に設け、
また、蓋体の周壁に、周方向に延在するスリット部を形成すると共に、容器本体の周壁に、スリット部を通して周方向に沿ってスライドさせることで容器本体を周方向に沿って回転させて、取出口を開閉させる操作片を設け、
更に、容器本体の周壁の一部を径方向内側に窪ませて周方向に延在する凹所を形成し、当該凹所を形作る周壁に、該周壁の外側に周方向に沿って延在して変形及び復元の可能な弾性片を一体に設けると共に、蓋体の周壁の内側に、弾性片の先端部が接触することにより、容器本体が取出口を開く方向に回転するのに従って、容器本体が反対側に回転するように、弾性片を変形させて復元力を与える支持部を設けたことを特徴とするものである。
【０００９】
本発明において、弾性片は、板ばね状のものとすることができる。この場合、弾性片は、容器本体が取出口を開く方向に回転するのに従って径方向外向きに傾斜する形状であって、支持部は、容器本体が取出口を開く方向に回転するのに従って径方向内向きに傾斜する斜面を有するものとすることができる。
【００１０】
また、弾性片は、ジグザグばね状のものとすることもできる。
【発明の効果】
【００１１】
本発明によれば、操作片をスリット部に沿って動かせば、容器本体は、支持部に接触する弾性片からの付勢力に抗して、スリット部に沿って周方向に回転するため、容器本体の底壁に設けられた閉塞部もスリット部に沿って周方向に蓋体に形成した取出口から遠ざかる方向に回転する。これにより、容器本体の閉塞部が蓋体の取出口から離間することによって、当該取出口を開放することができる。
【００１２】
これに対し、操作片から手を離せば、弾性片の復元力によって、容器本体は、操作片を移動させた方向と逆方向に回転するため、容器本体の閉塞部も、操作片を移動させた方向と逆方向に回転する。これにより、容器本体の閉塞部が蓋体の取出口を閉じていた初期の位置まで、当該閉塞部を自動的に復帰させることができる。
【００１３】
従って、本発明によれば、実質、容器本体と蓋体という２つの部品だけ構成されることで、部品点数の削減を図りつつ回転によって取出口を自動的に閉じることができる、新規な粒状物収納容器を提供することができる。
【図面の簡単な説明】
【００１４】
【図１】(a)は、本発明である、粒状物収納容器の第１の形態である、タブレット容器の取出口が閉じた状態を上方から示す斜視図であり、(b)は、(a)のＸ−Ｘ断面図である。
【図２】(a)は、同タブレット容器の容器本体を上方から示す上面図であり、(b)は、(a)のＹ−Ｙ断面図である。
【図３】(a)は、同タブレット容器の蓋体を上方から示す上面図であり、(b)は、(a)のＺ−Ｚ断面図である。
【図４】同タブレット容器の取出口が閉じた状態を上方から示す要部断面図である。
【図５】同タブレット容器の取出口が開いた状態を上方から示す要部断面図である。
【図６】本発明の第２の形態である、タブレット容器の容器本体を上方から示す上面図である。
【図７】同タブレット容器の蓋体を上方から示す上面図である。
【図８】同タブレット容器の取出口が閉じた状態を上方から示す要部断面図である。
【図９】同タブレット容器の取出口が開いた状態を上方から示す要部断面図である。
【発明を実施するための形態】
【００１５】
以下、図面を参照して、本発明である、粒状物収納容器の一形態である、タブレット容器を詳細に説明する。
【００１６】
図１(a)は、本発明の一形態である、タブレット容器１を示す。図１(b)の符号２は、円筒形の容器本体である。容器本体２は、図２(a)に示すように、円形の底壁３に沿って一体に起立する環状の周壁４を有する。周壁４の内側には、底壁３と共に、丸形の、複数の粒状物Ｃの収納部Ｒを形成する。また、周壁４の下端外側には、図２(b)に示すように、環状の突起４ｃが設けられている。
【００１７】
図３の符号５は、容器本体２を取り囲む周壁６を有して容器本体２を閉じる天壁７が設けられた蓋体である。周壁６の下端内側には、図３(b)に示すように、環状の突起６ｃが設けられている。突起６ｃは、蓋体５の下側から容器本体２を挿入すると、図１(b)に示すように、容器本体２の突起４ｃに引っ掛かることで、容器本体２を周方向（軸線Ｏ周り）に回転可能に保持する。これにより、容器本体２と蓋体５とは、互いに分離することなく、一体的に周方向に相対回転することができる。
【００１８】
また、蓋体５の天壁７には、図３(a)に示すように、軸線Ｏに対してずらした位置に、収納部Ｒに通じる取出口Ａが形成されている。これに対し、容器本体２の底壁３にも、図２(a)に示すように、軸線Ｏに対してずらした位置に、取出口Ａを閉じる閉塞部８が設けられている。閉塞部８は、底壁３から一体に起立するように設けられている。閉塞部８の上端面８ａは平坦な面を構成し、図１に示すように、取出口Ａと整列する位置にて取出口Ａを閉じる。これにより、容器本体２と蓋体５とを周方向に沿って回転させれば、取出口Ａを開閉させることができる。
【００１９】
また、蓋体５の周壁６には、周方向に延在するスリット部Ｓが形成されている。これに対し、容器本体２の周壁４には、径方向外向きに突出する操作片９が一体に設けられている。操作片９は、図１に示すように、スリット部Ｓを通して外界に露出する。これにより、スリット部Ｓを通して周方向に沿ってスライドさせることで、容器本体２を周方向に沿って回転させて、取出口Ａを開閉させることができる。
【００２０】
操作片９のスライドは、操作片９が周壁４から径方向外向きに突出しているため、操作片９が、図４及び図５に示すように、蓋体５の周壁６の周方向端部６ｅと接触することで規制される。また、操作片９の表面には、滑り止め部９ａが一体に設けられている。
【００２１】
更に、容器本体２は、図２(a)に示すように、その周壁４の一部を径方向内側に窪ませて周方向に延在する凹所ｎを形成する。凹所ｎを形作る周壁４ａのうち、周壁４ａの側壁４ａ1には、周方向に沿って延在して変形及び復元の可能な弾性片１０が一体に設けられている。弾性片１０は、板ばね状のものであって、閉塞部から周方向に遠ざかるのに従って径方向外向きに傾斜する形状を有する。即ち、弾性片１０は、容器本体２が取出口Ａを開く方向に回転するのに従って径方向外向きに傾斜する形状を有する。また、弾性片１０は、図２(a)に示すように、曲率半径ｒをもって、径方向外向きに突出するように湾曲している。
【００２２】
これに対し、蓋体５の周壁６内側には、弾性片１０の先端部１０ａが接触する支持部１１が一体に設けられている。支持部１１は、取出口Ａから周方向に遠ざかるのに従って径方向内向きに傾斜する斜面１１ａを有する。即ち、支持部１１は、容器本体２が取出口Ａを開く方向に回転するのに従って径方向内向きに傾斜する斜面１１ａを有する。
【００２３】
こうした構成によれば、図４に示すように、取出口Ａが閉塞部８によって閉じられた状態から、容器本体２が取出口Ａを開く方向（図４に示す矢印の方向）に回転すると、それに従って、弾性片１０は、斜面１１ａに沿って滑りながら、図５に示すように、取出口Ａが閉塞部８から開かれた状態まで、径方向内側に弾性変形して、復元力が付与される。従って、図５に示すように、取出口Ａが開かれた状態で操作片９から指を離すと、弾性片１０の復元力によって、容器本体２が反対側（図５に示す矢印の方向）に回転して、図５に示す初期位置に復帰することで、取出口Ａが閉塞部８によって閉じられた状態になる。
【００２４】
このように、本形態によれば、操作片９をスリット部Ｓに沿って動かせば、容器本体２は、支持部１１に接触する弾性片１０からの付勢力に抗して、スリット部Ｓに沿って周方向に回転するため、容器本体２に設けられた閉塞部８もスリット部Ｓに沿って周方向に取出口Ａから遠ざかる方向に回転する。これにより、容器本体２の閉塞部８が蓋体５の取出口Ａから離間することによって、当該取出口Ａを開放することができる。
【００２５】
これに対し、操作片１０から手を離せば、弾性片１０の復元力によって、容器本体２は、操作片１０を移動させた方向と逆方向に回転するため、容器本体２の閉塞部８も、操作片１０を移動させた方向と逆方向に回転する。これにより、容器本体２の閉塞部８が蓋体５の取出口Ａを閉じていた初期の位置まで、当該閉塞部８を自動的に復帰させることができる。
【００２６】
従って、本形態によれば、実質、容器本体２と蓋体５という２つの部品だけ構成されることで、部品点数の削減を図りつつ回転によって取出口Ａを自動的に閉じることができる。
【００２７】
本発明に従えば、弾性片１０は、容器本体２の周壁４に設けることができるが、その場合、容器全体が径方向に大型化する虞がある。このため、本形態の如く、周壁４の一部を径方向内側に窪ませて周方向に延在する凹所ｎを形成し、当該凹所ｎを形作る側壁４ａ1に一体に設ければ、コンパクト化を図りつつ回転によって取出口Ａを自動的に閉じることができる。また、前記凹所ｎは、タブレット容器１を構成する容器本体２と蓋体５を組付ける際の撓み変形部として機能し、組付け作業を容易にできる。
【００２８】
また、本発明に従えば、弾性片１０及び支持部１１は、他の形態をとることができる。
【００２９】
図６〜図９には、本発明の第２の形態を示す。なお、以下の説明において、第１の形態と同一部分については、その説明を省略する。
【００３０】
本形態において、弾性片１０は、図６に示すように、周壁４ａの側壁４ａ1に一体に設けられたジグザグばね状のものである。これに対し、支持部１１は、図７に示すように、蓋体５の周壁６内側から径方向内向きに一体に突出する板状のものである。
【００３１】
この場合、図８に示すように、取出口Ａが閉塞部８によって閉じられた状態から、容器本体２が取出口Ａを開く方向（図８に示す矢印の方向）に回転すると、それに従って、弾性片１０は、支持部１１との間で圧縮されながら、図９に示すように、取出口Ａが閉塞部８から開かれた状態まで、周方向に弾性変形して、復元力が付与される。従って、図９に示すように、取出口Ａが開かれた状態で操作片９から指を離すと、弾性片１０の復元力によって、容器本体２が反対側（図９に示す矢印の方向）に回転して、図８に示す初期位置に復帰することで、取出口Ａが閉塞部８によって閉じられた状態になる。
【００３２】
このように、本形態によっても、実質、容器本体２と蓋体５という２つの部品だけ構成されることで、部品点数の削減を図りつつ回転によって取出口Ａを自動的に閉じることができる。
【００３３】
上述したところは、本発明の一形態を示したにすぎず、特許請求の範囲において、種々の変更を加えることができる。例えば、粒状物Ｃの形状は、丸形形状に限定されるものではない。更に、各形態それぞれの構成中に採用される各要素は、適宜、転用等を行うことができる。
【産業上の利用可能性】
【００３４】
本発明は、例えば、粒状のガムやキャンディ等の嗜好品や、丸薬等の錠剤を収納容器に採用することができる。
【符号の説明】
【００３５】
１      タブレット容器
２      容器本体
３      容器本体底壁
４      容器本体周壁
４ａ    凹所を形作る周壁
５      蓋体
６      蓋体周壁
６ｅ    蓋体周壁周方向端部
７      蓋体天壁
８      閉塞部
８ａ    閉塞部上端面
９      操作片
１０    弾性片
１０ａ  弾性片
１１    支持部
Ａ      取出口
ｎ      凹所
Ｒ      収納部
【図１】
0005628705.tif 000002
【図２】
0005628705.tif 000003
【図３】
0005628705.tif 000004
【図４】
0005628705.tif 000005
【図５】
0005628705.tif 000006
【図６】
0005628705.tif 000007
【図７】
0005628705.tif 000008
【図８】
0005628705.tif 000009
【図９】
0005628705.tif 000010